(57)【特許請求の範囲】
【請求項１】
蓄熱材と、前記蓄熱材を加熱する複数のヒータと、前記蓄熱材の熱を温風として送風する送風手段と、前記複数のヒータへの供給電力を切り替え蓄熱度を設定する蓄熱設定手段と、時刻を設定する時刻設定手段と、前記蓄熱設定手段の設定に応じて複数のヒータへの給電を制御する制御手段を備え、前記制御手段は前記時刻設定手段で設定した時刻から蓄熱設定手段の設定に応じた所定時間遡った時刻に前記ヒータへの給電を開始する蓄熱温風装置。
【請求項２】
送風時のヒータ供給電力を設定する暖房設定手段を有し、制御手段は前記暖房設定手段の設定に応じて蓄熱材を加熱する時のヒータへの供給電力を制御する請求項１記載の蓄熱温風装置。
【請求項３】
室温を検出する室温検出手段を有し、制御手段は前記室温検出手段で得られた室温に応じた所定温度に蓄熱材を加熱するためにヒータへの給電電力を制御する請求項１記載の蓄熱温風装置。
【発明の詳細な説明】
【０００１】
【発明の属する技術分野】
本発明は、ヒータにより暖房を行う蓄熱温風装置に関するものである。
【０００２】
【従来の技術】
従来の蓄熱温風装置について以下説明する。図１１は従来の蓄熱温風装置のブロック図である。１は蓄熱材、２はヒータで、３は蓄熱材１とヒータ２の熱を送風する送風手段。４はヒータ２と送風手段３への給電を制御する制御手段である。
【０００３】
その動作は制御手段４の指示信号Ｓ１でヒータ２に給電を行なって蓄熱材１を加熱し、制御手段４の指示信号Ｓ２を受けて送風手段３が送風を行ない、暖房をするようになっていた。
【０００４】
【発明が解決しようとする課題】
しかしながら、従来の蓄熱温風装置では、ひとつのヒータ２で蓄熱材１を加熱しているので、蓄熱材１の加熱の仕方に偏りが発生して、暖房能力が低下するという課題を有していた。また、ひとつのヒータ２で蓄熱材１を加熱しているので、そのヒータ２の能力を越えて短時間で充分な加熱を行うことができないという課題を有していた。
【０００５】
【課題を解決するための手段】
本発明は上記課題を解決するために蓄熱温風装置は、蓄熱材と、前記蓄熱材を加熱する複数のヒータと、前記蓄熱材の熱を温風として送風する送風手段と、複数のヒータへの供給電力を切り替え蓄熱度を設定する蓄熱設定手段と、時刻を設定する時刻設定手段と、前記蓄熱設定手段の設定に応じて複数のヒータへの給電を制御する制御手段を備え、前記制御手段は前記時刻設定手段で設定した時刻から蓄熱設定手段の設定に応じた所定時間遡った時刻にヒータへの給電を開始するものである。
【０００６】
上記発明によれば、複数のヒータが蓄熱材を加熱するため加熱の偏りをなくし、短時間で蓄熱材を所定の温度にすることができるだけでなく、さらに余分な消費電力を抑えて設定時刻には蓄熱材を所定の温度に加熱することができる。
【０００７】
【発明の実施の形態】
本発明は、蓄熱材と、前記蓄熱材を加熱する複数のヒータと、前記蓄熱材の熱を温風として送風する送風手段と、複数のヒータへの供給電力を切り替え蓄熱度を設定する蓄熱設定手段と、時刻を設定する時刻設定手段と、前記蓄熱設定手段の設定に応じて前記複数のヒータへの給電を制御する制御手段を備え、前記制御手段は前記時刻設定手段で設定した時刻から蓄熱設定手段の設定に応じた所定時間遡った時刻に前記ヒータへの給電を開始するものである。
【０００８】
そして複数のヒータが蓄熱材を加熱することで加熱の偏りをなくし、短時間で蓄熱材を所定の温度にすることができる。そして、蓄熱設定手段の設定によって蓄熱材を加熱する時に消費電力を抑えた供給電力を選択することで消費電力を抑えて、電源ブレーカの動作を防ぐことができる。そして、制御手段は、時刻設定手段に設定した時刻から蓄熱設定手段の設定に応じた所定時間遡った時刻にヒータへの給電を開始することで、余分な消費電力を抑えて設定時刻には蓄熱材を所定の温度に加熱する。
【０００９】
また、送風時のヒータ供給電力を設定する暖房設定手段と、前記暖房設定手段の設定に応じて蓄熱材を加熱する時のヒータへの供給電力を制御する制御手段を有するものである。
【００１０】
そして制御手段は、暖房設定手段の設定に応じて蓄熱材を加熱する時のヒータへの給電を制御するよう作用し、暖房設定手段が電源ブレーカ対応設定であれば蓄熱材を加熱する時も電源ブレーカ対応となる。
【００１１】
さらに室温を検出する室温検出手段と、蓄熱材を前記室温検出手段で得られた室温に応じた所定温度に加熱するためにヒータへの給電電力を制御する制御手段を有するものである。
【００１２】
そして、制御手段は蓄熱材が室温に応じた所定温度になるようヒータへの給電電力を制御するよう作用し、余分な消費電力を抑えて居住空間を最適暖房するに必要な熱量を蓄熱するよう蓄熱材を所定温度に加熱する。
【００１３】
【実施例】
以下、本発明の実施例について図面を用いて説明する。
【００１４】
（実施例１）
図１は本発明の実施例１の蓄熱温風装置のブロック図である。また図２は実施例２の蓄熱温風装置のフローチャートである。
【００１５】
図１において１は蓄熱材、２ａと２ｂと２ｃはそれぞれ第１ヒータと第２ヒータと第３ヒータ、３は蓄熱材１と第１ヒータ２ａと第２ヒータ２ｂと第３ヒータ２ｃの熱を送風する送風手段。４は第１ヒータ２ａと第２ヒータ２ｂと第３ヒータ２ｃと送風手段３への給電を制御する制御手段である。
【００１６】
使用者が制御手段４を動作させて蓄熱材１を加熱する各ヒータへの給電を指示すると、制御手段４は給電電力信号ＳＨ１１とＳＨ１２とＳＨ１３をそれぞれ第１ヒータ２ａと第２ヒータ２ｂと第３ヒータ２ｃに送り、３個のヒータを温める。そしてひとつのヒータで蓄熱材１を加熱するよりも早く、かつ蓄熱材１の多くの部分を温めながら蓄熱材１をむらなく加熱する。
【００１７】
そして使用者が送風を指示すと制御手段４は給電信号Ｓ１Ｆを送風手段３に送って送風を行い蓄熱材１に蓄えられた熱を温風として送る。
【００１８】
次に本実施例の動作について図２のフローチャートを用いて詳しく説明する。まずＳＴＥＰ１１で電源を投入して、ＳＴＥＰ１２で蓄熱材１を加熱する第１ヒータ２ａや第２ヒータ２ｂや第３ヒータ２ｃは給電の指示を待つ。指示が来るとＳＴＥＰ１３に進み、制御手段４は給電電力信号ＳＨ１１とＳＨ１２とＳＨ１３をそれぞれ第１ヒータ２ａと第２ヒータ２ｂと第３ヒータ２ｃに送って蓄熱材１を加熱する。
【００１９】
そしてＳＴＥＰ１４で送風の指示を待ち、指示が来るとＳＴＥＰ１５に進み制御手段４は給電信号Ｓ１Ｆを送風手段３に送って送風を行って温風を送るようになっている。
【００２０】
このように第１ヒータ２ａと第２ヒータ２ｂと第３ヒータ２ｃの複数のヒータで蓄熱材１をまんべんなく加熱することで加熱の偏りをなくすことができるともに効率良く蓄熱材１を加熱することができるため余分な消費電力を抑えることができる。また複数のヒータで加熱することにより短時間の間に蓄熱材１を所定温度に加熱することができる。また、同等の熱容量を蓄熱材１に与える場合、１本のヒータで加熱するよりも複数のヒータで加熱する方が短時間で蓄熱材１を所定温度にすることになり、ヒータの寿命を延ばすことができる。
【００２１】
なお、ここではヒータの数を３個としたが、２個でも問題ない。さらにヒータの数を増やすことで一層の効果を得ることができる。
【００２２】
（実施例２）
図３は本発明の実施例２の蓄熱温風装置のブロック図である。また図４は実施例２の蓄熱温風装置のフローチャートである。
【００２３】
なお、実施例１と同一符号のものは同一構造を有し、説明は省略する。
【００２４】
実施例１と異なる点を以下に説明する。図３において、５は第１ヒータ２ａ、第２ヒータ２ｂ、第３ヒータ２ｃに給電する給電電力を切換える信号を制御手段４に送る「強」「弱」の設定をもった蓄熱設定手段である。
【００２５】
使用者が蓄熱設定手段５で、「強」を選択すると蓄熱設定手段５は信号Ｓ２Ｓ１を制御手段４に送る。制御手段４はその信号を受けて給電電力信号ＳＨ２１とＳＨ２２とＳＨ２３をそれぞれ第１ヒータ２ａと第２ヒータ２ｂと第３ヒータ２ｃに送り、蓄熱材１を蓄熱設定手段５の設定「強」の所定の供給電力で加熱する。使用者が蓄熱設定手段５で、「弱」を選択すると蓄熱設定手段５は信号Ｓ２Ｓ２を制御手段４に送る。制御手段４はその信号を受けて給電電力信号ＳＨ２１を第１ヒータ２ａに送り蓄熱材１を蓄熱設定手段５の設定「弱」の所定の供給電力で加熱する。そして使用者が送風を指示すると制御手段４は給電信号Ｓ２Ｆを送風手段３に送って送風を行い蓄熱材１に蓄えられた熱を温風として送る。
【００２６】
次に本実施例の動作について図４のフローチャートを用いて詳しく説明する。まずＳＴＥＰ２１で電源を投入して、ＳＴＥＰ２２に進み蓄熱設定手段５で「強」が選択されると、ＳＴＥＰ２４に進み制御手段４は給電電力信号ＳＨ２１とＳＨ２２とＳＨ２３をそれぞれ第１ヒータ２ａと第２ヒータ２ｂと第３ヒータ２ｃに送って蓄熱材１を加熱し、ＳＴＥＰ２６に進む。ＳＴＥＰ２２で蓄熱設定手段５で「強」を選択しない場合、ＳＴＥＰ２３に進み。「弱」が選択されるとＳＴＥＰ２５に進む。制御手段４はその信号を受けて給電電力信号ＳＨ２１を第１ヒータ２ａに送って蓄熱材１を加熱し、ＳＴＥＰ２６に進む。
【００２７】
そしてＳＴＥＰ２６で送風の指示を待ち、指示が来るとＳＴＥＰ２７に進み制御手段４は給電信号Ｓ２Ｆを送風手段３に送って送風を行って温風を送るようになっている。
【００２８】
このように蓄熱材１を加熱する供給電力の切換えができるので、蓄熱設定手段５が「強」設定で電源ブレーカが動作する場合でも、蓄熱設定手段５で「弱」設定することで電源ブレーカを動作させずに蓄熱材１を加熱できる。
【００２９】
なお、ここでは蓄熱設定手段５の設定を「強」「弱」の２種類としたが、設定の数を増やすことでも同様に実施することができる。
【００３０】
（実施例３）
図５は本発明の実施例３の蓄熱温風装置のブロック図である。また図６は実施例３の蓄熱温風装置のフローチャートである。
【００３１】
なお、実施例１と同一符号のものは同一構造を有し、説明は省略する。実施例１と異なる点を以下に説明する。図５において、５は「強」「標準」「弱」の暖房設定が選択できる暖房設定手段、４は暖房設定手段５の設定に応じた供給電力で蓄熱材１を加熱する時のヒータへの給電を制御する制御手段である。
【００３２】
暖房設定手段５で、「標準」が選択されていると蓄熱材１を加熱する時に暖房設定手段５は信号Ｓ３Ｓ２を制御手段４に送る。制御手段４はその信号を受けて給電電力信号ＳＨ３１とＳＨ３２をそれぞれ第１ヒータ２ａと第２ヒータ２ｂに送り蓄熱材１を暖房設定手段５の設定「標準」の所定の供給電力で加熱する。
【００３３】
暖房設定手段５で、「弱」が選択されていると蓄熱材１を加熱する時に暖房設定手段５は信号Ｓ３Ｓ３を制御手段４に送る。制御手段４はその信号を受けて給電電力信号ＳＨ３１を第１ヒータ２ａに送り蓄熱材１を暖房設定手段５の設定「弱」の所定の供給電力で加熱する。
【００３４】
そして使用者が送風を指示すと制御手段４は給電信号Ｓ３Ｆを送風手段３に送って送風を行い蓄熱材１に蓄えられた熱を温風として送る。
【００３５】
次に本実施例の動作について図６のフローチャートを用いて詳しく説明する。まずＳＴＥＰ３１で電源を投入して、ＳＴＥＰ３２に進み、暖房設定手段５で「強」が選択されていると、ＳＴＥＰ３５で制御手段４は給電電力信号ＳＨ３１とＳＨ３２とＳＨ３３をそれぞれ第１ヒータ２ａと第２ヒータ２ｂと第３ヒータ２ｃに送って蓄熱材１を加熱してＳＴＥＰ３８に進む。
【００３６】
ＳＴＥＰ３２で「強」を選択しない場合、ＳＴＥＰ３３に進む。ここで「弱」が選択されていると、ＳＴＥＰ３６に進み、制御手段４は給電電力信号ＳＨ３１を第１ヒータ２ａに送って蓄熱材１を加熱してＳＴＥＰ３８に進む。
【００３７】
ＳＴＥＰ３３で「弱」を選択されていない場合、ＳＴＥＰ３４に進む。ここで「標準」が選択されていると、ＳＴＥＰ３７に進み、制御手段４は給電電力信号ＳＨ３１とＳＨ３２をそれぞれ第１ヒータ２ａと第２ヒータ２ｂに送って蓄熱材１を加熱ＳＴＥＰ３８に進む。
【００３８】
そしてＳＴＥＰ３８で送風の指示を待ち、指示が来るとＳＴＥＰ３９に進み、制御手段４は給電信号Ｓ３Ｆを送風手段３に送って送風を行って温風を送るようになっている。
【００３９】
このように暖房設定手段５の設定に応じて蓄熱材１を加熱する時の第１ヒータ２ａと第２ヒータ２ｂと第３ヒータ２ｃへの供給電力を制御するよう作用し、暖房設定手段６が電源ブレーカ対応設定であれば蓄熱材１を加熱する時も電源ブレーカ対応となり、わざわざ蓄熱材１を加熱するときに電源ブレーカ対応を考慮していなくてもブレーカダウンすることなく使用することができる。
【００４０】
なお、ここでは暖房設定手段６の設定を「強」「標準」「弱」の３種類としたが、設定の数を増やすことでも同様に実施することができる。
【００４１】
（実施例４）
図７は本発明の実施例４の蓄熱温風装置のブロック図である。また図８は実施例４の蓄熱温風装置のフローチャートである。
【００４２】
なお、実施例２と同一符号のものは同一構造を有し、説明は省略する。
【００４３】
実施例２と異なる点を以下に説明する。図７において、５は「強」「弱」の設定をもった蓄熱設定手段、７は時刻を設定する時刻設定手段である。
【００４４】
例えば蓄熱設定手段５の「強」設定の所定供給電力で蓄熱材１を所定温度に加熱するのに７０分、「弱」設定の所定供給電力で蓄熱材１を所定温度に加熱するのに４０分かかるとする。使用者が時刻設定手段７で時刻を設定すると信号Ｓ４Ｘが制御手段４に送られる。蓄熱設定手段５で、「強」を選択すると蓄熱設定手段５は信号Ｓ４Ｓ１を制御手段４に送る。制御手段４はその信号を受けて設定時刻より例えば７０分前から給電電力信号ＳＨ４１とＳＨ４２とＳＨ４３をそれぞれ第１ヒータ２ａと第２ヒータ２ｂと第３ヒータ２ｃに送り蓄熱材１を加熱する。使用者が蓄熱設定手段５で、「弱」を選択すると蓄熱設定手段５は信号Ｓ４Ｓ２を制御手段４に送る。制御手段４はその信号を受けて設定時刻より例えば４０分前から給電電力信号ＳＨ４１とＳＨ４２とＳＨ４３をそれぞれ第１ヒータ２ａと第２ヒータ２ｂと第３ヒータ２ｃに送り蓄熱材１を加熱する。そして使用者が送風を指示すると制御手段４は給電信号Ｓ４Ｆを送風手段３に送って送風を行い蓄熱材１に蓄えられた熱を温風として送る。
【００４５】
次に本実施例の動作について図８のフローチャートを用いて詳しく説明する。まずＳＴＥＰ４１で電源を投入して、ＳＴＥＰ４２に進み、時刻設定手段７で時刻の設定を待つ、時刻が設定されるとＳＴＥＰ４３に進む。蓄熱設定手段５の設定が「強」だと、ＳＴＥＰ４５に進み、設定時刻７０分前迄待ち、ＳＴＥＰ４７に進む。制御手段４は給電電力信号ＳＨ４１とＳＨ４２とＳＨ４３をそれぞれ第１ヒータ２ａと第２ヒータ２ｂと第３ヒータ２ｃに送って蓄熱材１を加熱し、ＳＴＥＰ４９に進む。ＳＴＥＰ４３で蓄熱設定手段５の設定が「強」でないと、ＳＴＥＰ４４に進む。次に蓄熱設定手段５の設定が「弱」だと、ＳＴＥＰ４６に進み設定時刻より４０分前迄待ち、ＳＴＥＰ４８に進む。制御手段４は給電電力信号ＳＨ４１を第１ヒータ２ａに送って蓄熱材１を加熱し、ＳＴＥＰ４９に進む。そしてＳＴＥＰ４９で送風の指示を待ち、指示が来るとＳＴＥＰ５０に進み、制御手段４は給電信号Ｓ４Ｆを送風手段３に送って送風を行って温風を送るようになっている。
【００４６】
このように制御手段４は、時刻設定手段７に設定した時刻から蓄熱設定手段５の設定に応じた所定時間遡った時刻に各ヒータへの給電を開始することで、余分な消費電力を抑えて設定時刻には蓄熱材１を所定の温度に加熱することができる。
【００４７】
（実施例５）
図９は本発明の実施例５の蓄熱温風装置のブロック図である。また図１０は実施例５の蓄熱温風装置のフローチャートである。
【００４８】
なお、実施例１と同一符号のものは同一構造を有し、説明は省略する。
【００４９】
実施例１と異なる点を以下に説明する。図９において、８は室温を検出する室温検出手段、９は蓄熱材１の温度を間接的に検出する蓄熱温度検出手段、４は室温検出手段８及び蓄熱温度検出手段９が検出する温度情報で各ヒータへの給電電力を制御する制御手段である。本実施例では室温が１０℃未満では、蓄熱材１の温度を６００℃となるよう蓄熱温度検出手段９の検出温度を１４０℃で制御手段４はヒータへの給電電力を制御し、１０℃以上では蓄熱材１の温度を５５０℃となるよう蓄熱温度検出手段９の検出温度を１３０℃で制御手段４はヒータへの給電電力を制御している。
【００５０】
次に本実施例の動作について図１０のフローチャートを用いて詳しく説明する。
蓄熱材１を加熱する場合、まず室温検出手段８が室温を検出し（Ｓ５１）、蓄熱温度検出手段９が蓄熱材１の温度を間接的に検出する（Ｓ５２）。次に、検出した室温が１０℃未満かを判定し（Ｓ５３）、１０℃未満の場合は検出した蓄熱温度が６００℃未満かを判定する（Ｓ５４）。そして、６００℃未満の場合は制御手段４が各ヒータへの給電を開始し（Ｓ５５）、６００℃以上になると制御手段４は各ヒータへの給電を停止する（Ｓ５６）。また、室温が１０℃以上の場合は、蓄熱温度が５５０未満の場合に、制御手段４が各ヒータへの給電を開始し（Ｓ５８）、蓄熱温度が５５０℃以上になると制御手段４が各ヒータへの給電を停止する（Ｓ５８）。
【００５１】
このように、制御手段４が蓄熱材１が室温に応じた所定温度になるよう各ヒータへの給電電力を制御するよう作用し、余分な消費電力を抑えて居住空間を最適暖房するに必要な熱量を蓄熱するよう蓄熱材１を所定温度に加熱することができる。
【００５２】
【発明の効果】
以上のように本発明によれば、複数のヒータで蓄熱材を加熱することで加熱の偏りがなくなり蓄熱材に効率よく蓄熱することができるとともに加熱時間を短縮することができるという有利な効果を有する。
【００５３】
また、蓄熱設定手段の設定に応じて設定時刻から遡ってヒータへの給電開始時間を変更することで、余分な消費電力を抑えて、設定時刻には蓄熱材を所定の温度にすることができる。
【００５４】
また、暖房設定手段の設定に応じて蓄熱材を加熱するヒータへの供給電力の選択を可能とすることで、温風を送風している時だけでなく蓄熱材を加熱している時にもヒータの給電電力を少なくしヒータの消費電力を抑えることが可能となり、蓄熱材を加熱する時、使用者に意識させずに電源ブレーカの動作を防ぐことができる。
【００５５】
さらに室温に応じた所定温度に蓄熱材を加熱することで、余分な消費電力を抑え居住空間を最適暖房するに必要な熱量を蓄熱材に蓄熱することができる。
【図面の簡単な説明】
【図１】  本発明の実施例１の蓄熱温風装置のブロック図
【図２】  本発明の実施例１のフローチャート
【図３】  本発明の実施例２蓄熱温風装置のブロック図
【図４】  本発明の実施例２のフローチャート
【図５】  本発明の実施例３蓄熱温風装置のブロック図
【図６】  本発明の実施例３のフローチャート
【図７】  本発明の実施例４蓄熱温風装置のブロック図
【図８】  本発明の実施例４のフローチャート
【図９】  本発明の実施例５蓄熱温風装置のブロック図
【図１０】  本発明の実施例５のフローチャート
【図１１】  従来例の蓄熱温風装置のブロック図
【符号の説明】
１  蓄熱材
２ａ  第１ヒータ
２ｂ  第２ヒータ
２ｃ  第３ヒータ
３  送風手段
４  制御手段
５  蓄熱設定手段
６  暖房設定手段
７  時刻設定手段
８  室温検出手段
【図１】
0004061683.tif 000002
【図２】
0004061683.tif 000003
【図３】
0004061683.tif 000004
【図４】
0004061683.tif 000005
【図５】
0004061683.tif 000006
【図６】
0004061683.tif 000007
【図７】
0004061683.tif 000008
【図８】
0004061683.tif 000009
【図９】
0004061683.tif 000010
【図１０】
0004061683.tif 000011
【図１１】
0004061683.tif 000012